(57)【特許請求の範囲】
【請求項１】
遊技機毎に設けられ、アンケート内容を表示する端末装置と、
アンケート結果を集計・管理する管理装置と、を備えるアンケート集計システムであって、
遊技機と接続され、遊技操作に基づき当該遊技機から出力される所定の遊技信号を受信する受信手段と、
前記アンケート内容の回答となる複数の選択肢のうちの一の選択肢を、遊技者が選択可能な有効選択肢とするとともに、前記有効選択肢を、所定の時間毎に前記複数の各選択肢に切替える選択肢切替手段と、
前記有効選択肢を、他の選択肢と区別可能な所定の表示態様で表示する表示手段と、
前記遊技信号の入力タイミングに基づき、前記有効選択肢を遊技者が選択した選択肢と判定する判定手段と、を備え、
前記遊技機が、スロットマシンであり、
前記所定の遊技信号が、スロットマシンに備えるスタートレバーが操作されることで出力される、遊技媒体の投入を示す投入信号であり、
前記端末装置が、前記スロットマシンが稼働状態にある場合に所定のアンケート内容の表示を開始し、当該稼働状態にあるスロットマシンにおいてスタートレバーが操作されることで出力される前記投入信号を、当該端末装置で表示されているアンケートに対する回答として入力することにより、前記スロットマシンにおける遊技に影響を及ぼすことなく、アンケートに対する回答を集計することを特徴とするアンケート集計システム。
【請求項２】
前記判定手段が、前記遊技信号の入力間隔に基づき、アンケートに対する遊技者の対応可否を判定する請求項１記載のアンケート集計システム。
【請求項３】
遊技機から出力される所定の遊技信号に基づき、対応する遊技機における所定の遊技状況を判定するとともに、当該遊技状況に応じて、複数設定されたアンケート内容のうち調査対象とするアンケート内容の選定、及び／又は、アンケートの進行管理を行うアンケート管理手段を備え、
前記アンケート管理手段が、遊技者の手持ちの遊技媒体数に対応して、調査対象とするアンケート内容を変化させる請求項１又は２記載のアンケート集計システム。
【発明の詳細な説明】
【技術分野】
【０００１】
本発明は、遊技場に来店する遊技者を対象としたアンケートを、遊技機毎に設置された端末装置に表示して、回答を受付け、当該回答を集計・管理するアンケート集計システム、及びこのアンケート集計システムを構成する端末装置に関し、特に、遊技機から出力される遊技信号に基づき、回答が選択されるアンケート集計システム、及びこのアンケート集計システムを構成する端末装置に関する。
【背景技術】
【０００２】
近年のパチンコホール，パチスロホール等の遊技場には、遊技者にアンケートを配信して回答を受付け、アンケート結果を集計するシステムとして、例えば、会員カード等の記録媒体から会員を特定し、会員情報に基づいて、アンケート対象者を絞り込んでアンケートを実施するアンケート集計システムがある（特許文献１）。
【０００３】
また、遊技操作がそのまま、アンケートの回答として反映されるスロットマシンとして、例えば、スロットマシン遊技を行う遊技者が、所定の表示器に表示される質問（アンケート）に、停止ボタンを選択操作して、回答することで、スロットマシンにおける演出の出現頻度を、自分の好みの値に設定可能なスロットマシンがある（特許文献２）。
【０００４】
【特許文献１】特開２００５−１６５３７２号公報
【特許文献２】特開２００６−８１５８９号公報
【発明の開示】
【発明が解決しようとする課題】
【０００５】
しかしながら、このような従来の発明では、以下に示すような問題を解決できなかった。
特許文献１に記載の発明では、端末装置に設けられたタッチパネル等を操作することで、アンケートに回答するようになっていることから、特に、遊技中、常に遊技操作を必要とするスロットマシン遊技を行う遊技者の場合、アンケートに対応するためには、遊技を中断しなければならないことから、アンケートに対する協力が得られなかった。
一方、特許文献２に記載の発明では、スロットマシン遊技を中断することなく、アンケートに対応することができるが、アンケートに回答する際に、三つの停止ボタンの中から該当する選択肢を選択することで、回答するようになっている。
ところが、回答を選択する操作の対象を停止ボタンとすると、大当り等の抽せんを行う内部抽せんの結果、当せんしている所定の当せん役を取りこぼしてしまうことがあった。
すなわち、スロットマシンの場合、停止ボタンは単に押下操作して対応するリールを停止させればよいのではなく、内部抽せんにおいて当せんしている役が成立するように停止操作する必要がある。
そのためには、停止ボタンを押下操作する順番が重要であり、スロットマシン遊技を優先すると、遊技者が意図する選択肢を選択できない場合があり、アンケート結果に遊技者の意思が忠実に反映されないおそれがあった。
【０００６】
本発明は、以上のような問題を解決するために提案されたものであり、遊技に影響を及ぼさない装置を、アンケートに回答するための操作対象とすることで、遊技を堪能しつつ、アンケートにも適切に対応できるアンケート集計システム、及びこのアンケート集計システムを構成する端末装置の提供を目的とする。
【課題を解決するための手段】
【０００７】
上記目的を達成するため、本発明のアンケート集計システムは、遊技機毎に設けられ、アンケート内容を表示する端末装置と、アンケート結果を集計・管理する管理装置と、を備えるアンケート集計システムであって、遊技機と接続され、遊技操作に基づき当該遊技機から出力される所定の遊技信号を受信する受信手段と、前記アンケート内容の回答となる複数の選択肢のうちの一の選択肢を、遊技者が選択可能な有効選択肢とするとともに、前記有効選択肢を、所定の時間毎に前記複数の各選択肢に切替える選択肢切替手段と、前記有効選択肢を、他の選択肢と区別可能な所定の表示態様で表示する表示手段と、前記遊技信号の入力タイミングに基づき、前記有効選択肢を遊技者が選択した選択肢と判定する判定手段と、を備える構成としてある。
【０００８】
また、本発明の端末装置は、アンケート結果を集計・管理する管理装置と通信可能に接続されるとともに、遊技機毎に設けられ、アンケート内容を表示する端末装置であって、遊技機と接続され、遊技操作に基づき当該遊技機から出力される所定の遊技信号を受信する受信手段と、前記アンケート内容の回答となる複数の選択肢のうちの一の選択肢を、遊技者が選択可能な有効選択肢とするとともに、前記有効選択肢を、所定の時間毎に前記複数の各選択肢に切替える選択肢切替手段と、前記有効選択肢を、他の選択肢と区別可能な所定の表示態様で表示する表示手段と、前記遊技信号の入力タイミングに基づき、前記有効選択肢を遊技者が選択した選択肢と判定する判定手段と、を備える構成としてある。
【発明の効果】
【０００９】
本発明のアンケート集計システム、及びこのアンケート集計システムを構成する端末装置によれば、遊技を堪能しつつ、遊技に影響を及ぼすことなく、アンケートに対応できる。
【発明を実施するための最良の形態】
【００１０】
［第一実施形態］
以下、本発明に係るアンケート集計システム、及びこのアンケート集計システムを構成する端末装置の好ましい実施形態について、図１〜図９を参照して説明する。
図１は、本発明の第一実施形態に係るアンケート集計システムの全体構成を模式的に示す説明図である。
また、図２は、本発明の第一実施形態に係るアンケート集計システムに適用されたスロットマシンと端末装置の正面図であり、図３は、本発明の第一実施形態に係るアンケート集計システムを構成する各装置の内部構成を示すブロック図である。
図１に示すように、本実施形態に係るアンケート集計システムは、複数のスロットマシン４０と、スロットマシン４０毎に設けられるアンケート内容を表示する端末装置１０と、同じくスロットマシン毎に設けられるスロットマシンから出力される所定の遊技信号が入力される呼出ランプ２０と、呼出ランプ２０と接続されるアンケート結果を集計・管理する管理装置３０などで構成されている。
【００１１】
端末装置１０と、呼出ランプ２０及び管理装置３０には、ＣＰＵ、制御プログラムとデータが記録されたＲＯＭ、ワークメモリとして機能するＲＡＭ、Ｉ／Ｏ等が搭載されたコンピュータからなる制御部が設けられるとともに、各装置は、外部通信インターフェイスとして機能する通信部を介して、ＬＡＮケーブルなどで相互通信可能に接続されている。
そして、端末装置１０に表示されたアンケート内容の質問に対する回答となる選択肢を、遊技者がスロットマシン遊技を行いつつ、選択することで、端末装置１０が、スロットマシン４０から出力される所定の遊技信号に基づき、選択された選択肢を判定し、判定された選択肢を回答として管理装置３０に送信することで、管理装置３０が、アンケート結果を集計・管理できるようになっている。
以下、各装置について詳述する。
【００１２】
スロットマシン４０は、同図に示すように、複数のスロットマシン４０が所定数単位でまとめられた、いわゆる「島」単位で設置されており、遊技場内に複数の遊技機島が並列されるようになっている。
本実施形態に適用されるスロットマシン４０は、図２及び図３に示すように、通常のスロットマシンと同様の構成，機能を備えており、遊技媒体となるメダルを使用した遊技の内容や方法、外部に出力される各種信号等も既存のスロットマシンと同様のものとなっている。
【００１３】
具体的には、各スロットマシン４０には、遊技者により操作されることで、スロットマシン遊技が進行する複数の操作部が設けられている。
例えば、ゲームを開始するために、メダルを投入するメダル投入口４１、押下操作されることで、内部メモリに記憶されたクレジットメダルをゲームに投入するベットボタン４２、メダル投入口４１からのメダル投入又は、ベットボタン４２操作により、ゲーム開始条件となる所定枚数（１〜３枚）のメダルが投入された後に、押下操作されることで、リールが回転を開始するスタートレバー４３、押下操作されることで、対応するリールが停止する停止ボタン４４などの操作部が設けられている。
【００１４】
そして、これらの各操作部が、遊技者により遊技操作されることで、スロットマシン４０に備えられたＣＰＵやＲＯＭ、ＲＡＭ、Ｉ／Ｏ等のコンピュータからなる制御部４５が、各操作部からの信号を検出し、各装置を制御することで、スロットマシン遊技が進行するようになっている。
例えば、メダル投入口４１に設けられた検出センサ４１ａからメダル検出信号、ベットボタン４２からベット信号、スタートレバー４３からスタート信号、停止ボタン４４から停止信号が各々出力され、制御部４５が、これらの各信号に基づき、スロットマシン４０を制御している。
【００１５】
さらに、制御部４５は、検出された各信号に基づき、投入されたメダルや払出したメダルの枚数、及び遊技状態を遊技信号として、外部端子板４６を介して、外部に出力するようになっている。
図４は、本発明の第一実施形態に係るアンケート集計システムに適用されたスロットマシンから出力される遊技信号を示す図である。
本実施形態では、図４に示すように、一ゲーム毎に出力されるスロットマシン４０へのメダルの投入数を示すメダル投入信号、所定の入賞役が発生した場合に出力される入賞メダルの払出数を示すメダル払出信号、所定の特定遊技状態の発生中に出力される状態信号が出力されるようになっており、状態信号として、ビッグボーナス状態を示すＢＢ信号、レギュラーボーナス状態を示すＲＢ信号、チャレンジタイム状態を示すＣＴ信号の３つの状態信号が出力されるようになっている。これらの各スロットマシン４０から出力される各種遊技信号が、同図に示すように、対応する呼出ランプ２０を介して、端末装置１０と管理装置３０に入力される。
【００１６】
そして、本実施形態では、一ゲーム毎に出力される上記のメダル投入信号の入力タイミングに基づき、端末装置１０が、一の選択肢を遊技者によるアンケートの回答となる選択と判定するようになっている。
具体的には、メダル投入信号は、制御部４５が検出した前述のメダルの検出信号及びベット信号に基づき、スタートレバー４３が遊技操作されるタイミングで出力される遊技信号であり、ゲームに投入されたメダル数に応じた数のパルスを出力する、一ゲーム毎に出力される信号である。
すなわち、メダル投入信号は、スタートレバー４３の押下操作のタイミングで出力されるため、遊技者自らが出力するタイミングを調節することができる信号となっている。
【００１７】
なお、本実施形態では、外部端子板４６からは出力されていないが、前述のベット信号やメダル検出信号，スタート信号なども遊技者自らが出力するタイミングを調節することができる信号なので、これらの信号を制御部４５に入力すると同時に、外部に出力することで、メダル投入信号と同様、アンケートの回答となる選択肢を選択するための信号とすることもできる。
【００１８】
次に、呼出ランプ２０は、図２及び図３に示すように、通常の呼出ランプ２０と同様な構成，機能を備えているとともに、端末装置１０と管理装置３０との間で、アンケート内容データ及びアンケート回答データを送受するための中継装置として機能するようになっている。
具体的には、呼出ランプ２０には、コンピュータからなる制御部２１０と、店員を呼出すランプを点灯するためのスイッチや遊技データ表示用の切替スイッチ等が設けられた操作部２０１と、ＬＥＤ等のランプ装置や、大当り回数、ゲーム回数などの遊技データを表示する液晶表示器などからなる表示部２０２と、上記のスロットマシン４０からの入力された遊技信号を制御部２１０に入力するとともに、端末装置１０と管理装置３０に送信する通信部２０３など、が設けられている。
【００１９】
そして、制御部２１０が、入力された遊技信号に基づき、遊技データを算出し、表示部２０２を制御して、大当り回数（各ボーナスの発生回数）やスタート回数などの遊技データを表示させたり、操作部２０１からの信号に基づき、ＬＥＤ等のランプ装置を点灯制御するようになっている。
さらに、制御部２１０は、通信部２０３を介して、管理装置３０から送信されるアンケート内容データを受信して、端末装置１０に送信するとともに、端末装置１０からアンケート回答データを受信して、管理装置３０に送信するようになっている。
なお、上記のスロットマシン４０から入力されたメダル投入信号は、遅滞なくほぼ同一のタイミングで、端末装置１０に送信されるようになっている。
【００２０】
次に、管理装置３０は、図１及び図３に示すように、通常のホールコンピュータと同様な構成，機能に加え、スロットマシン４０から入力される遊技信号に基づき、端末装置１０に対応して設けられるスロットマシン４０の稼動状態，遊技状態や遊技者の手持ちの遊技媒体数などの遊技状況を判定するとともに、遊技状況に応じて、複数設定されたアンケート内容のうち調査対象とするアンケート内容の選定や、アンケートの進行管理を行うようになっており、遊技場管理者が操作可能な場所、例えば、カウンター奥の管理室等に設置されている。そして、管理装置３０が、所定の制御コマンド等を送信することにより、各端末装置１０を、支配的に制御できるようになっている。
この管理装置３０には、各スロットマシン４０から出力されるメダル投入信号、メダル払出信号、ＢＢ信号、ＲＢ信号、ＣＴ信号の各遊技信号が、呼出ランプ２０を介して入力されるようになっている。
【００２１】
具体的には、図３に示すように、管理装置３０には、呼出ランプ２０を介して、各スロットマシン４０からの遊技信号や、各スロットマシン４０に対応して設けられた端末装置１０からの会員カードの会員ＩＤ、会員カードの返却信号、遊技媒体を貸出す際に出力される貸出信号やアンケート回答データを受信するとともに、各端末装置１０にアンケート内容データを送信する通信部３０４と、受信した遊技信号に基づき、各スロットマシン４０の稼動状態，遊技状態や遊技者の手持ちの遊技媒体数などの遊技データを集計するとともに、アンケート結果の集計処理等を行うコンピュータからなる制御部３１０と、遊技データやアンケート結果などを表示する表示部３０２と、画面操作などを行う入力部３０１と、遊技データ，会員データやアンケート内容データ、アンケート結果データなどのデータベース、制御プログラム等を記憶する記憶部３０３と、遊技データ及びアンケート結果などを印字するプリンタ、などが設けられている。
【００２２】
そして、管理装置３０は、受信した遊技信号に基づき、各スロットマシン４０の稼動状態，遊技状態や遊技者の手持ちの遊技媒体数などの遊技状況を判定し、遊技状況に応じて、複数設定されたアンケート内容のうち調査対象とするアンケート内容を選定し、当該スロットマシン４０に対応する端末装置１０に送信することで、端末装置１０毎にアンケートを実施させるとともに、遊技状況に応じて、各端末装置１０に対してアンケートの中断や、再開などを指示する制御コマンドを送信し、各端末装置１０が実施するアンケートの進行管理を行うようになっている。
また、管理装置３０は、アンケートに対応した遊技者に対して、各端末装置１０を制御することにより、来店ポイントを付与したり、通常では閲覧できない特別な遊技データ等を表示するようになっている。
【００２３】
制御部３１０には、ＣＰＵと、入力部３０１，表示部３０２，記憶部３０３，通信部３０４などの各装置を制御するプログラム及びデータが記憶されたＲＯＭ、ワークメモリとして使用されるＲＡＭ、各装置を制御するためのＩ／Ｏ等が設けられ、ＣＰＵが、記憶部３０３に記憶された制御プログラムを読込み、実行することで、アンケートの進行管理が行われるようになっている。
以下、管理装置３０で実行される処理について説明する。
【００２４】
最初に、管理装置３０の制御部３１０は、アンケートの実施に先立ち、各スロットマシン４０の稼動状態を判定する。
稼動状態の判定は、各スロットマシン４０から入力された遊技信号や、後述する各端末装置１０から入力された会員ＩＤに基づき行われる。
具体的には、制御部３１０が、例えば、一ゲーム毎に各スロットマシン４０から出力されるメダル投入信号の単位時間毎の入力回数を監視することで、単位時間当りに、あらかじめ設定された回数（例えば３回）以上のメダル投入信号が入力された場合に、「稼動状態」と判定し、この回数に満たない場合は、「非稼動状態」と判定することができる。
また、後述の端末装置１０のカードリーダー１０４ａが、会員カードから会員ＩＤを読取り、端末装置１０から送信された当該会員ＩＤを受信してから、当該会員カードの返却時に送信される返却信号が受信されるまでを、特定の会員による「稼動状態」と判定することもできる。
そして、制御部３１０が、「稼動状態」と判定した場合には、対応する端末装置１０をアンケート実施可能状態として記憶する。
【００２５】
次に、制御部３１０は、アンケート実施可能状態となっている端末装置１０に対するアンケート内容を、対応するスロットマシン４０の遊技者の手持ちの遊技媒体数に基づき、選定する。
アンケート内容は、記憶部３０３に複数のアンケート内容データベースとして記憶されており、制御部３１０が、スロットマシン４０の遊技者の手持ちの遊技媒体数を判定するとともに、判定結果に応じたアンケート内容を選定して、選定されたアンケート内容を端末装置１０に送信するようになっている。
具体的には、制御部３１０は、各スロットマシン４０から受信したメダル投入信号とメダル払出信号から、当該スロットマシン４０における遊技者の手持ちの遊技媒体数を算出する（算出手段）。
【００２６】
メダル投入信号は、スロットマシン４０に投入されたメダル数に応じた数のパルスを出力し、メダル払出信号は、スロットマシン４０から払出されたメダル数に応じた数のパルスを出力することから、制御部３１０が算出手段として機能し、メダル投入信号が示すパルス数を累計することで投入メダル数を算出するとともに、メダル払出信号が示すパルス数を累計することで払出メダル数を算出することができる。
さらに、制御部３１０は、払出メダル数から投入メダル数を減算した値である「差数」を所定時間（例えば、３０分）毎に算出する。
そして、この「差数」に基づき、制御部３１０が、遊技者の手持ちの遊技媒体数を算出し、この値に応じて、アンケート内容を選定するようになっている。
【００２７】
図５は、本実施形態に係るアンケート集計システムの管理装置３０で集計された差数の推移を示す図であり、図６は、本実施形態に係るアンケート集計システムの管理装置３０に記憶されているアンケート内容を示す図である。
図５では、遊技場が開店してからの所定時間（３０分）毎のあるスロットマシンにおける差数の推移を示している。
同図に示すように、遊技場が開店した後において、投入メダル数が払出メダル数を上回る状態では、制御部３１０が、手持ちの遊技媒体をゼロと算出する。そして、手持ちの遊技媒体がゼロである手持ちの遊技媒体がない状態が（図５における「手持ちメダルなし」の範囲）、一定時間（例えば、６０分）以上継続する場合には、アンケート内容としてアンケートＡを選定するようになっている。この場合には、遊技者は、負けている状態であるため、アンケートＡは、図６（ａ）に示すように、遊技客を刺激しない当たり障りのない内容となっている。
【００２８】
また、投入メダル数に対して払出メダル数が増加に転じたと判断した場合は、制御部３１０が、増加に転じたときからの差数を手持ちの遊技媒体数として算出する。そして、手持ちの遊技媒体がある状態であって、増加に転じたときからの差数があらかじめ設定された所定数（例えば、メダル３００枚）未満となる状態が（図５における「手持ちメダル少」の範囲）、一定時間（例えば、６０分）以上継続する場合には、アンケート内容Ｂを選定する。このような状態は、遊技者は手持ちの遊技媒体はあるものの、遊技を継続するか、止めて景品交換するか迷っている心境であるため、アンケートＢは、図６（ｂ）に示すように、遊技を継続させるように魅力的な景品を紹介する内容となっている。
【００２９】
また、制御部３１０が算出した投入メダル数に対して払出メダル数が増加に転じたときからの差数があらかじめ設定された所定数（例えば、メダル１０００枚）以上となる状態が（図５における「手持ちメダル多」の範囲）、一定時間（例えば、６０分）以上継続する場合には、アンケート内容Ｃを選定する。この状態は、遊技者が勝っている状態であり、アンケートに冷静に対応可能な心境と判断できるため、アンケートＣは、図６（ｃ）に示すように、遊技者の本音を引き出す内容となっている。
このように、制御部３１０が算出した手持ちの遊技媒体数に応じて、アンケート内容を変化して選定することで、遊技者の心理状態に応じた適切なアンケート内容を実施できる。
【００３０】
なお、アンケート内容を、遊技時間に応じて、変化して選定することもできる。
例えば、遊技開始後から、一時間後、二時間後というように、時間の経過に伴い、アンケート内容を変化して選定することもできる。
また、対応するスロットマシン４０は、製造メーカーや、機種毎に各々異なる遊技特性を有するように設定されている。例えば、大当り時に払出される「大当りメダル数」や、「大当り確率」などは、機種毎に各々異なる値となるように設計されている。その結果、大当りが連続して発生する、所謂「連ちゃん機」などの波の荒いスロットマシン４０を好んで遊技する遊技者と、波の穏やかなスロットマシン４０を好んで遊技する遊技者とでは、興味を示すアンケート内容も自ずと異なってくる。
そこで、アンケート内容を、対応するスロットマシン４０の機種毎に選定する。これにより、好みのスロットマシン４０で遊技を行う遊技者の興味に合わせた的確なアンケート内容を実施することができる。
【００３１】
また、同一の遊技者に対して、同じアンケート内容の繰り返し実施や、異なるアンケート内容の繰り返しの実施を避けるため、対応するスロットマシン４０の遊技者の入替えを判定することもできる。
例えば、端末装置１０から前述の会員ＩＤが送信された場合には、制御部３１０が、特定の会員による遊技期間と判定することもできるし、手持ちの遊技媒体数が存在するにも拘わらず、現金や有価カードの投入により遊技媒体の貸出しに伴い端末装置１０から送信される貸出信号が受信された場合は、遊技者が入替わったものと判定することができる。
これにより、少なくとも同一の遊技客に対して、同じアンケート内容が実施されることを回避することができる。
【００３２】
次に、管理装置３０の制御部３１０は、手持ちの遊技媒体数に応じて、選定されたアンケート内容を、通信部３０４を介して、対応する端末装置１０に送信する。これにより、端末装置１０が、受信したアンケート内容を当該端末装置１０の記憶部１０３に記憶すると同時に、記憶部１０３に記憶されたアンケート内容に従ってアンケートを開始するようになっている。
さらに、管理装置３０の制御部３１０は、アンケート実施中において、スロットマシン４０からの遊技信号に基づき、スロットマシン４０の遊技状態を監視し、アンケートの進行を管理している。
【００３３】
具体的には、制御部３１０は、スロットマシン４０から状態信号として出力されるビッグボーナス状態を示すＢＢ信号、レギュラーボーナス状態を示すＲＢ信号、チャレンジタイム状態を示すＣＴ信号の３つの状態信号を監視し、いずれかの状態信号の出力（オン信号）を受信した場合には、端末装置１０に制御コマンドとして、アンケートの実施を中断する「中断コマンド」を送信するようになっている。
これにより、端末装置１０が、再開時のアンケート内容（例えば、質問番号等）を記憶して、アンケートの実施を中断する。
さらに、制御部３１０は、上記の状態信号の出力停止（オフ信号）を受信した場合には、端末装置１０に制御コマンドとして、アンケートの実施を再開する「再開コマンド」を送信するようになっている。
これにより、端末装置１０が、記憶した再開時のアンケート内容から、アンケートを再開するようになっている。
【００３４】
このように、制御部３１０が、スロットマシン４０からの状態信号に基づき、遊技状態を監視しつつ、アンケートの進行を管理することで、アンケートの実施が遊技の妨げとならないようにするとともに、遊技状態毎に変化する遊技者のアンケートに対する集中力の変化に合わせてアンケートを実施することができる。
すなわち、上記のような状態信号がスロットマシンから出力されている場合は、特に、スロットマシン４０が「大当り」状態であり、遊技者は、遊技媒体の獲得作業に集中し、アンケートに対して集中力を欠いている状態であるため、アンケートに誠実に対応できない。
そこで、このような「大当り」状態では一旦アンケートを中断し、「大当り」終了後に再開することで、アンケートに対する遊技者の誠実な回答が期待できる。
また、端末装置１０から前述の会員カードの返却に伴う、返却信号が送信された場合には、端末装置１０に、アンケートの実施を終了する「終了コマンド」を送信することもでき、これにより、端末装置１０が、強制的にアンケートの実施を終了し、途中までのアンケート回答データを、管理装置３０に送信することもできる。
【００３５】
なお、本実施形態では、上記のように、対応するスロットマシン４０の遊技状態や遊技者の手持ちの遊技媒体数などの遊技状況を判定し、複数設定されたアンケート内容のうち調査対象とするアンケートの選定や、アンケートの進行管理を管理装置３０が行ったが、貸出信号，会員ＩＤ，返却信号は勿論のこと、各種遊技信号は、後述する端末装置１０も受信可能なことから、端末装置１０がこれらの信号に基づき、アンケート内容の選定や、アンケートの進行管理を行うことができることは言うまでもない。
【００３６】
次に、管理装置３０の制御部３１０は、このようなアンケートの進行管理の結果、端末装置１０がアンケートの実施を終了し、端末装置１０からアンケート回答データを受信した場合に、アンケート回答データを集計するとともに、アンケートに対応した遊技者に対して特典を付与するようになっている。
具体的には、アンケート回答データの集計は、アンケート内容（例えば、前述のアンケートＡ，Ｂ，Ｃ）別に行われ、さらにアンケート内容に含まれる質問毎に、回答となる選択肢を選択した人数を集計することで行われる。
このアンケートの集計結果は、管理装置３０の記憶部３０３にアンケート結果データベースとして記憶されるとともに、表示部３０２に表示され、遊技場の管理者などが、アンケート内容別、各質問別に回答した選択肢の人数を確認することができる。これにより、アンケート結果を、今後の遊技場の経営に役立てることができる。
【００３７】
また、アンケートに対応した遊技者に対する特典は、遊技場の会員と、非会員とで異なる特典が付与されるようになっている。
ここで、会員のアンケート回答か、非会員のアンケート回答かの判定は、管理装置３０の制御部３１０が、端末装置１０から前述の会員ＩＤが送信され、未だ返却信号を受信していない間に、アンケート回答データを受信した場合は、会員のアンケート回答と判定し、それ以外は、非会員のアンケート回答と判定する。
そして、判定の結果、会員に対しては、以下のような特典を付与することができる。
例えば、記憶部３０３に記憶された該当する会員データの来店ポイントに所定数のポイントを加算することができる。
さらに、会員に対しては、対応するスロットマシン４０の大当り確率の設定の高低を示す設定確率値データを、対応する端末装置１０に送信し、端末装置１０が受信した当該設定確率値データに基づき、設定確率値を示唆するような演出表示を、表示部１０２において閲覧可能に表示する特典を付与することもできる。
また、会員に対しては、遊技を行っているスロットマシン４０の機種における平均的な大当り間のゲーム回数（所謂はまり度合い）などの通常では知り得ない遊技データを、対応する端末装置１０に送信し、端末装置１０の表示部１０２において当該遊技データを閲覧可能に表示する特典を付与することもできる。
【００３８】
一方、非会員に対しては、来店ポイントの付与はできないため、例えば、制御部３１０が、会員のみ閲覧可能な他のスロットマシン４０の遊技データなどを、対応する端末装置１０に送信し、端末装置１０が受信した当該遊技データを表示部１０２に表示することで、会員限定の遊技データを閲覧可能とする特典を付与することもできる。
このように、会員と非会員とで、特典に優劣を設けることで、非会員に会員登録を促し、新たな固定客として取り込むことができ、遊技場の売上げの向上が図られる。
また、会員と非会員のいずれに対しても、上記のような特典が付与されるため、アンケートに対する積極的な協力が促進される。
【００３９】
次に、端末装置１０は、図２及び図３に示すように、通常のカードユニットと同様な構成，機能を備えているとともに、前述の管理装置３０から送信されたアンケート内容（質問、回答となる選択肢など）を表示するとともに、スロットマシン４０から入力されるメダル投入信号の入力タイミングに基づき、遊技者が選択した選択肢を判定し、判定された選択肢をアンケート回答データとして記憶し、管理装置３０に送信するようになっている。
【００４０】
具体的には、端末装置１０には、コンピュータからなる制御部１１０と、表示画面を切替えるスイッチ，会員カードの返却スイッチ，投入された有価カードに記憶された度数に応じてメダル貸出を行う貸出スイッチ等が設けられた操作部１０１と、遊技者に対して実施するアンケート内容や遊技データが表示される液晶表示器からなる表示部１０２と、管理装置３０から送信されたアンケート内容（質問、回答となる選択肢など）や遊技者の回答した選択肢を質問毎に記憶する記憶部１０３と、遊技者が所持する会員カードから会員ＩＤを読取るカードリーダー１０４ａと、呼出ランプ２０と通信を行うことで、スロットマシン４０から遊技信号を受信するとともに、アンケート内容データ及びアンケート回答データを管理装置３０との間で送受する通信部１０５と、有価カード投入口１０６など、が設けられている。
このような構成からなる端末装置１０は、前述のように管理装置３０から送信される制御コマンドにより制御されるようになっている。
【００４１】
そして、制御部１１０には、ＣＰＵと、表示部１０２，記憶部１０３，カードリーダー１０４ａ，通信部１０５などの各装置を制御するプログラム及びデータが記憶されたＲＯＭ、ワークメモリとして使用されるＲＡＭ、各装置を制御するためのＩ／Ｏ等が設けられ、ＣＰＵが、ＲＯＭに記憶されたプログラムを実行することで、各装置を制御するようになっている。
以下、端末装置１０で実行される制御処理について説明する。
【００４２】
制御部１１０は、会員カードが投入されることでカードリーダー１０４ａが読取った会員ＩＤを、通信部１０５から呼出ランプ２０を介して、管理装置３０に送信する。さらに、操作部１０１の会員カード返却スイッチの操作を検出することで、返却信号を、管理装置３０に送信する。これにより、前述のように、管理装置３０が、会員ＩＤの受信から返却信号の受信まで期間を特定の会員の遊技期間と判定できる。
また、制御部１１０は、有価カードが有価カード投入口１０６に投入され、図示しない有価カードＲ／Ｗ部が有価カードに記録された度数を読込んだ後に、操作部１０１の貸出スイッチの操作を検出することで、メダルの貸出を示す貸出信号を管理装置３０に送信する。これにより、前述のように、管理装置３０が、手持ちの遊技媒体数があると判定した場合に、貸出信号を受信したときは、対応するスロットマシン４０の遊技者が新たな遊技者に入替わったことを判定できる。
また、制御部１１０は、管理装置３０から「中断コマンド」，「再開コマンド」，「終了コマンド」を受信することで、前述のように各制御コマンドに対応した処理を行うようになっている。
【００４３】
そして、制御部１１０は、管理装置３０からアンケート内容データを受信すると、記憶部１０３に記憶するとともに、アンケートの実施を開始する。
図７は、本実施形態に係るアンケート集計システムの端末装置に記憶されているアンケート内容データを示す図である。
同図に示すように、記憶部１０３に記憶されているアンケート内容データは、複数の質問データとそれぞれの質問に対応する回答となる選択肢データ（回答１〜３など）からなる「アンケート内容」と、各選択肢データが選択可能な有効時間を定めた「選択有効時間」とで構成され、これらのデータに基づき、制御部１１０がアンケートを実行するようになっている。
【００４４】
具体的には、制御部１１０は、アンケート内容データの質問データと選択肢データを質問の順に表示部１０２に設けられたＶＲＡＭ等のメモリに転送し、表示部１０２を駆動制御し、質問データと選択肢データを表示させる。そして、各選択肢データを「選択有効時間」に基づき、その間遊技者が選択可能な有効選択肢として記憶するとともに、各選択肢データを「選択有効時間」毎に更新し、これに伴い、選択肢データを順次切替えて表示部１０２に表示させるようになっている。
【００４５】
以下、制御部１１０が、各選択肢データを「選択有効時間」毎に更新する制御について、図を参照しつつ説明する。
図８（ａ）〜（ｃ）は、図７に示すアンケート内容データに基づき、制御部１１０がアンケートを実行することで、端末装置１０の表示部１０２に表示されたアンケート内容を示す図である。
各図に示すように、表示部１０２の表示は、制御部１１０が、「質問データ」と「選択肢データ」と「選択有効時間」を、表示部１０２に設けられたＶＲＡＭ等のメモリに転送し、所定のＶＤＰ（Video Display Processor）等によって、画像データとして合成して表示されたものである。
【００４６】
例えば、図８（ａ）に示すように、表示部１０２には、「質問データ（質問１）」と、「選択肢データ（回答１：はい）」とが表示されるとともに、「選択肢データ（回答１：はい）」が選択可能となる「選択有効時間（３秒）」がカウントダウンされる「残り時間」が表示してある。
この場合、同じ「質問データ（質問１）」に属する「選択肢データ（回答２：いいえ）」は、表示されていない。すなわち、「選択肢データ（回答１：はい）」は、他の「選択肢データ」と区別可能な表示態様で表示されている。
【００４７】
このような表示は、制御部１１０が、表示中の「選択肢データ（回答１：はい）」を制御部のワークメモリとしてのＲＡＭに設けられた有効選択肢領域に記憶するとともに、当該選択肢データに対応した「選択有効時間（３秒）」をＲＡＭのタイマ領域にセットすると同時に、「選択肢データ（回答１：はい）」と「選択有効時間（３秒）」を表示部１０２のＶＲＡＭに転送することで、「選択肢データ（回答１：はい）」と「選択有効時間（３秒）」が表示部１０２に表示されているものである。
そして、制御部１１０が、タイマ領域を一秒毎にカウントダウンすることにより、表示部１０２の「残り時間」もカウントダウン表示するように制御される。
【００４８】
次いで、制御部１１０は、「選択有効時間（３秒）」がゼロ秒となった場合に、新たな「選択肢データ（回答２：いいえ）」を有効選択肢領域に更新して記憶するとともに（選択肢切替手段）、当該「選択肢データ（回答２：いいえ）」に対応した「選択有効時間（３秒）」をタイマ領域にセットし、カウントダウンを開始するようになっている。
このとき同時に、制御部１１０は、新たな「選択肢データ（回答２：いいえ）」と「選択有効時間（３秒）」をＶＲＡＭに転送し、図８（ｂ）に示すように、「選択肢データ（回答２：いいえ）」と「選択有効時間（３秒）」が表示部１０２に表示される。
【００４９】
そして、制御部１１０は、スタートレバー４３の遊技操作に基づき、スロットマシン４０から出力されるメダル投入信号の入力を監視し、メダル投入信号が受信されない限り、再び「選択肢データ（回答１：はい）」を有効選択肢領域に記憶するとともに、当該選択肢データに対応した「選択有効時間（３秒）」をタイマ領域にセットすることで、表示部１０２に、図８（ａ）に示す画面を再表示させ、上記の処理を繰り返すようになっている。
【００５０】
そして、制御部１１０は、メダル投入信号の入力があった場合には、その入力タイミングで有効選択肢領域に記憶されている選択肢を、遊技者が選択した選択肢と判定するようになっている。
具体的には、例えば、図８（ａ）に示すように、表示中の「選択肢データ（回答１：はい）」が有効選択肢領域に記憶され、当該選択肢データに対応した「選択有効時間（３秒）」がタイマ領域においてカウントダウンされているときに、制御部１１０が、通信部１０５からメダル投入信号の入力を検出した場合には、有効選択肢領域に記憶された「選択肢データ（回答１：はい）」を、遊技者が選択した選択肢と判定し、「選択肢データ（回答１：はい）」を記憶部１０３に記憶するとともに、「選択肢データ（回答２：いいえ）」に移行することなく、次の「質問データ（質問２）」係る処理に移行する。
【００５１】
また、図８（ｂ）に示すように、表示中の「選択肢データ（回答２：いいえ）」が有効選択肢領域に記憶され、当該選択肢データに対応した「選択有効時間（３秒）」がタイマ領域においてカウントダウンされているときに、制御部１１０が、通信部１０５からメダル投入信号の入力を検出した場合には、有効選択肢領域に記憶された「選択肢データ（回答２：いいえ）」を、遊技者が選択した選択肢と判定し、「選択肢データ（回答２：いいえ）」を記憶部１０３に記憶するとともに、次の「質問データ（質問２）」係る処理に移行する。
【００５２】
このように、遊技者は、スロットマシン４０のリールの回転を開始する装置であって、スロットマシン遊技の結果に影響を及ぼさないスタートレバー４３を操作することでアンケートに回答することができるため、スロットマシン遊技を堪能しつつ、アンケートにも適切に対応できる。
なお、スタートレバー４３の操作タイミングでは、スロットマシン４０の制御部４５において、大当りを抽選するための乱数を取得するようになっているが、当該乱数が一周する周期は、１ミリ秒にも満たないため、スロットマシン遊技の結果に影響を及ぼすことはない。
【００５３】
そして、制御部１１０は、上記のように一の選択肢データを遊技者が選択した選択肢と判定した場合は、該当する選択肢データを記憶部１０３にアンケート回答データとして質問毎に記憶するとともに、上記と同様な処理に基づき、図８（ｃ）に示すように、次の「質問データ（質問２）」と、「選択肢データ（回答１：当店）」を表示部１０２に表示させ、以後「質問データ」毎に上記の処理を繰り返すようになっている。
さらに、制御部１１０は、メダル投入信号の入力間隔を監視し、その入力間隔に基づき、遊技者がアンケートに誠実に協力しているか否か、すなわち、アンケートに対する遊技者の対応の可否を判定するようになっている。
【００５４】
制御部１１０が、メダル投入信号の入力間隔を監視し、アンケートに対する遊技者の対応の可否を判定する処理を、図を参照しつつ説明する。
図９（ａ）、（ｂ）は、本実施形態に係るアンケート集計システムのアンケートの遷移とメダル投入信号の入力タイミングとの関係を示すタイミングチャートである。
制御部１１０は、過去において入力された複数回のメダル投入信号の入力間隔時間を記憶し、各メダル投入信号の入力間隔時間の違い（以下、振れ巾という）に基づき、アンケートに対する遊技者の対応の可否を判定する。
【００５５】
具体的には、制御部１１０は、振れ巾が、小さいほど、遊技者がアンケートに対応していないと判定するとともに、振れ巾が、大きいほど、アンケートに協力して対応していると判定するようになっている。
このように判定する第一の理由は、アンケートに無関心な遊技者は、メダル投入（ベット操作）、スタートレバー操作、停止ボタン操作の一連の遊技動作を、一定の間隔でリズミカルに行っていることから、これに伴い出力されるメダル投入信号の入力間隔も、ほぼ均等となり、その結果、振れ巾が小さくなるためである。
また、第二の理由は、例えば、各選択肢データが選択可能となる選択有効時間が、図９（ａ）に示すように、同一（例えば、３秒）である場合で説明すると、一の質問データには複数（例えば）の選択肢データ（例えば、二つ）が設定されており、各質問データに対して誠実にアンケートに対応しているならば、たまに一の選択肢の選択有効時間を超過させることもあり、その場合には、一の選択有効時間を超える振れ巾が検出されるはずである。
しかしながら、振れ巾が、一の選択有効時間より小さいようなときは、各質問データにおいて、同じ回答番号（図では、回答２）となる選択肢が複数の質問データに亘って連続して選択されているということになり、誠実にアンケートに対応しているとは推測し難いためである。
【００５６】
そこで、制御部１１０は、過去の所定回数（例えば、５回）のメダル投入信号の入力間隔時間を記憶するとともに、最大の振れ巾を算出し、この振れ巾を、選択有効時間（例えば、３秒）と比較する。そして、算出した振れ巾が選択有効時間を超えるときは、遊技者がアンケートに対応していると判定することで、アンケートを続行し、振れ巾が選択有効時間以内のときは、遊技者がアンケートに対応していないと判定し、アンケートを終了するようになっている。
【００５７】
具体的には、図９（ａ）に示す例では、各メダル投入信号の入力タイミングの間隔は、例えば、入力タイミング１〜２が、８秒、入力タイミング２〜３が、６秒、入力タイミング３〜４が、９秒、入力タイミング４〜５が、６秒となっている。
制御部１１０は、各メダル投入信号の入力間隔時間を記憶するとともに、各入力タイミング間隔の振れ巾を、最大３秒（９秒−６秒）と算出し、選択有効時間と比較する。
そして、本実施形態では、選択有効時間を３秒としているため、算出された振れ巾は、選択有効時間以内であることから、制御部１１０は、遊技者がアンケートに対応していないと判定し、アンケートを終了する。
この場合には、遊技者がアンケートに対応していなかったとみなし、記憶部１０３に記憶した該当するアンケート回答データを消去（クリア）し、管理装置３０への送信は行わないようになっている。
なお、上記のように、制御部１１０が、遊技者がアンケートに対応していないと判定した場合において、アンケート回答データを記憶部１０３に記憶する際に、アンケートに対応していないことを示す識別子を付して記憶するとともに、そのままアンケートを継続することもできる。
この場合には、管理装置３０が、送信されたアンケート回答データのなかから、この識別子が付されたアンケート回答データを、信頼度の低いアンケート回答として除外することもできる。
【００５８】
さらに、アンケートに対する遊技者の対応の可否を判定する精度を向上させるために、各質問データに移行する時間の間隔を変化させる可変間隔手段が設けられている。
本実施形態では、所定回数の質問毎に、次の質問に移行するまでの移行時間として「待ち時間」を点在させることで、各質問データに移行する時間の間隔を変化させるようになっている。
具体的には、図９（ｂ）に示すように、質問データ（Ｘ＋２）に移行する前に、「待ち時間（１３秒）」を設定してある。
その結果、各質問データに移行する時間の間隔が、均等でなくなり、変化する。
これにより、遊技者がアンケートに誠実に対応しているにも拘わらず、制御部１１０が、アンケートに対応していないと判定し、アンケートを終了してしまう事態を回避することができる。
【００５９】
すなわち、仮に、「待ち時間」を設けないと、図９（ａ）に示すように、複数の質問データに亘って、同じ回答番号（図では、回答２）となる選択肢データが連続して選択される場合には、メダル投入信号の入力タイミングが均等となり、振れ巾が小さくなる可能性もあり、このような場合は、遊技者がアンケートに誠実に対応しているにも拘わらず、制御部１１０が、アンケートに対応していないと判定し、アンケートを終了してしまうことになる。
【００６０】
そこで、図９（ｂ）に示すように、「待ち時間（１３秒）」を所定の間隔（同図では５質問に１回の割合）をおいて点在させることで、制御部１１０が、過去の所定回数（例えば、５回）のメダル投入信号の入力間隔時間に基づき、最大の振れ巾（同図の例では、１９−６＝１３秒）を算出し、この振れ巾を、選択有効時間（例えば、３秒）と比較しても、選択有効時間を超える値（１３秒＞３秒）となり、制御部１１０が、アンケートに対応していると判定することになり、アンケートが終了してしまうことを回避することができる。
逆に言うと、次の質問データに移行する時間として「待ち時間」を点在させることで、メダル投入信号の入力間隔の振れ巾が小さく、入力タイミングがほぼ均等である場合には、遊技者は、スロットマシン遊技を優先し、アンケートに誠実に対応していないと確定することができる。
【００６１】
なお、次の質問データに移行する時間としての「待ち時間」は、選択肢データが選択できない選択不可時間として、質問の間に新たに設けられたもので、この「待ち時間」は、上記のように、制御部１１０が、振れ巾を算出する過去のメダル投入信号の回数毎に、一回は点在させる必要がある。
また、「待ち時間」は、図７に示す各選択肢データに対応した「選択有効時間」と同様に、各質問データに対応した「待ち時間」として、あらかじめ管理装置３０が記憶するアンケート内容データに設定しておくことができる。
そして、この「待ち時間」は、制御部１１０がアンケートに対応していないと判定しないような時間値に設定すべきことは言うまでもない。
【００６２】
例えば、図９（ｂ）の場合では、同じ番号となる回答を選択可能な時間の最大値（９秒＝［選択有効時間×３］）に、さらに、アンケートに対する遊技者の対応の可否を判定する際の振れ巾である選択有効時間（３秒）を超える値を加算した時間値（１３秒）としてある。
これにより、この「待ち時間」と、同じ番号となる回答を選択可能な時間の最大値との差である振れ巾は、選択有効時間（３秒）を超える値となるため、制御部１１０によりアンケートに対応していないと判定されることはない。
また、この「待ち時間」中は、例えば、表示部１０２に「少々お待ち下さい」というメッセージとともに、次の質問に移行するまでの「待ち時間」をカウントダウン表示することもできる。
なお、この「待ち時間」の間にメダル投入信号の入力があった場合には、遊技者がアンケートに対応していないと判定し、アンケートを終了することもできる。
【００６３】
このように、各質問に移行する時間の間隔を変化させる可変間隔手段として「待ち時間」を設けることで、アンケートに対する遊技者の対応の可否を判定する精度を向上することができる。
なお、本実施形態では、「待ち時間」を設けて、各質問に移行する時間の間隔を変化させたが、異なる選択有効時間を有する選択肢データを点在させることでも、同様な効果を得ることができる。
【００６４】
以上説明したように、本実施形態に係るアンケート集計システム１、及びこのアンケート集計システム１を構成する端末装置１０によれば、スロットマシン遊技の結果に影響を及ぼさないスタートレバー４３を操作することでアンケートに回答することができるため、スロットマシン遊技を堪能しつつ、アンケートにも適切に対応できる。
【００６５】
具体的には、遊技者が選択可能なアンケートの回答となる有効選択肢が、所定の時間毎に更新して切替って表示されるため、遊技者は、所望する選択肢が有効選択肢となったタイミングで、スタートレバー４３を操作するだけで、選択肢を選択できる。
その結果、従来のように停止ボタンで所望する選択肢を選択することで、リールの停止順が変わり、入賞を取りこぼしてしまい、遊技者が損失を蒙ることもない。
このように、アンケートに対応しても、スロットマシン遊技の結果に影響を及ぼすことがないことから、遊技者は、安心してアンケートに協力することができる。
また、スタートレバー４３の押下操作に基づき出力されている投入信号は、既存のスロットマシンにおいて、常設されている遊技信号であるため、スロットマシンを改造する必要もない。
【００６６】
また、スロットマシン４０から出力される所定の遊技信号に基づき、対応するスロットマシン４０の遊技状態や遊技者の手持ちの遊技媒体数などの遊技状況を判定するとともに、当該遊技状況に応じて、複数設定されたアンケート内容のうち調査対象とするアンケート内容の選定や、アンケートの進行管理を行うことで、遊技状況に対応した適切なアンケート内容を選定し、アンケートを実施することができる。
また、スロットマシン４０が「大当り」の状態など、遊技者がアンケートに集中できないときは、アンケートの実施を中断することができることから、遊技者が行うスロットマシン遊技の進行を妨げることがなくなり、その結果、遊技者がアンケートに快く協力することができ、誠意あるアンケートの回答を得ることができる。
【００６７】
［第二実施形態］
次に、本発明の第二実施形態に係るアンケート集計システムについて、図１０を参照しつつ、説明する。
図１０は、本発明の第二実施形態に係るアンケート集計システムの全体構成を示すブロック図である。
同図に示す本実施形態に係るアンケート集計システム１は、上述した第一実施形態のアンケート集計システムの変形実施形態であり、一般的な遊技場に設置されている設備に本発明のアンケート集計システムを適用させ、アンケート内容データとアンケート回答データの送受形態及び送信経路と、遊技者により選択された選択肢の判定及びアンケートに対する遊技者の対応可否の判定先と、が異なるようになっている。その他の構成部分は、第一実施形態と同様となっており、同様の構成部分については、図中で第一実施形態と同一符号を付し、詳細な説明は省略する。
【００６８】
図１０に示す例では、各スロットマシン４０又は所定数のスロットマシン４０毎に設置されている台コントローラ５０と、遊技機島単位に設置された島コントローラ６０とが新たな構成に加わったもので、その他の構成は、第一実施形態と同様な構成となっている。
台コントローラ５０は、一般的な遊技場におけるホールコンピュータを構成する台コントローラと同様、コンピュータで構成され、呼出ランプ２０からのメダル払出信号を含む各種の遊技信号を、島コントローラ６０を介して、管理装置３０に送信する機能に加え、第一実施形態において端末装置１０が行っていた遊技者が選択した選択肢の判定処理と、アンケートに対する遊技者の対応可否の判定処理とを実行するようになっている。
そして、アンケート回答データとアンケートに対する遊技者の対応可否の判定結果とを、島コントローラ６０を介して、管理装置３０に送信する。
【００６９】
島コントローラ６０は、一般的な遊技場におけるホールコンピュータを構成する島コントローラと同様、コンピュータで構成され、各台コントローラ５０からの遊技信号を収集して、管理装置３０に送信する機能に加え、上記のアンケート回答データとアンケートに対する遊技者の対応可否の判定結果とを管理装置３０に送信するようになっている。
以上のような構成からなる本実施形態に係るアンケート集計システムにおけるアンケートの動作処理について説明する。
【００７０】
管理装置３０は、島コントローラ６０から受信した遊技信号に基づき、第一実施形態と同様、各スロットマシン４０の稼動状態，遊技状態や遊技者の手持ちの遊技媒体数などの遊技状況を判定し、遊技状況に応じて、複数設定されたアンケート内容のうち調査対象とするアンケート内容を選定する。そして、本実施形態では、アンケート内容データを当該スロットマシン４０に対応する端末装置１０に直接送信するようになっている。
このように第一実施形態と異なり、呼出ランプ２０を介することなく、アンケート内容データを直接端末装置１０に送信することで、特に、アンケート内容データに画像データなどの容量の比較的大きなデータが含まれる場合には、呼出ランプ２０の処理負担を軽減させることができ、遊技信号の中継処理や、遊技信号から所定の遊技データの演算・表示などの呼出ランプ２０の本来の機能を優先させることができる。
また、管理装置３０では、選定したアンケート内容データを、各質問単位で各端末装置１０に送信するようになっている。
これは、特に、アンケート内容データに容量の大きな画像データが含まれていても、各質問単位でアンケート内容データを送信することで、端末装置１０の記憶部１０３が記憶容量不足となることを回避することができ、アンケートの円滑な進行を担保するためである。
【００７１】
次に、端末装置１０は、受信した各質問単位のアンケート内容データに基づき（図７参照）、表示部１０２に、「質問データ」，有効選択肢となる「選択肢データ」，「残り時間」を、各選択肢データに対応する「選択有効時間」毎に、順次切替えて表示する。
さらに、端末装置１０は、表示部１０２に有効選択肢として表示する「選択肢データ」の表示を開始するタイミング毎に、当該「選択肢データ」を、台コントローラ５０に送信する。
【００７２】
台コントローラ５０は、送信された「選択肢データ」を、現時点で端末装置１０の表示部１０２に表示されている有効選択肢として記憶し、端末装置１０から「選択肢データ」を受信する度に、有効選択肢となる「選択肢データ」を更新して記憶するようになっている。
これにより、端末装置１０の表示部１０２に有効選択肢として表示されている「選択肢データ」と、台コントローラ５０が有効選択肢として記憶している「選択肢データ」とが、一致するようになっている。
【００７３】
そして、台コントローラ５０には、呼出ランプ２０を介して、メダル投入信号が入力されているため、メダル投入信号の入力タイミングを監視することで、第一実施形態の端末装置１０と同様、この入力タイミングで有効選択肢として記憶している「選択肢データ」を遊技者が選択した選択肢と判定できるようになっている。
判定の結果、台コントローラ５０は、判定した「選択肢データ」をアンケート回答データとして、島コントローラ６０を介して、管理装置３０に送信する。
管理装置３０は、受信したアンケート回答データを、自ら送信した当該質問に係るアンケート回答データとして、質問単位で記憶するとともに、次の質問に関するアンケート内容データを端末装置１０に送信する。
そして、以上の動作処理が、すべての質問が終了するまで繰り返されるようになっている。
本実施形態のアンケート集計システムのように、アンケート内容データとアンケート回答データの送受を質問単位で実行することで、アンケート内容データを、大容量の画像データからなる遊技者を魅了する、多種・多彩なアンケート内容とすることができ、遊技者のアンケートへの積極的な協力を促進することができる。
【００７４】
また、台コントローラ５０は、メダル投入信号の入力タイミングに基づき、メダル投入信号の入力間隔を監視し、アンケートに対する遊技者の対応の可否を判定する処理を、第一実施形態の端末装置１０と同様な処理内容で行っている。
なお、本実施形態では、台コントローラ５０が、アンケートに対応していないと判定した時点で、アンケートに対応していないことを示す不可信号を、島コントローラ６０を介して、管理装置３０に送信する。
この場合には、管理装置３０は、遊技者がアンケートに対応していなかったとみなし、質問単位で記憶した該当するアンケート回答データを消去（クリア）するようになっている。
また、管理装置３０は、不可信号を受信した時点で、当該質問に係るアンケート回答データを記憶する際に、アンケートに対応していないことを示す識別子を付して記憶するとともに、そのままアンケートを継続し、後で、識別子が付されたアンケート回答データを除外することもできる。
【００７５】
以上説明したように、本実施形態に係るアンケート集計システム１によれば、アンケート内容データとアンケート回答データの送受形態を質問単位とし、アンケート内容データの送信経路を、管理装置３０から端末装置１０に直接送信することで、データ容量の大きなアンケート内容の円滑な実施が図られるとともに、遊技者により選択された選択肢の判定及びアンケートに対する遊技者の対応可否の判定を台コントローラ５０が行うことで、端末装置１０の処理負担が軽減され、一般的な遊技場の設備を有効に活用したアンケート集計システムを構築できる。
【００７６】
以上、本発明のアンケート集計システム、及びこのアンケート集計システムを構成する端末装置について、好ましい実施形態を示して説明したが、本発明に係るアンケート集計システム、及びこのアンケート集計システムを構成する端末装置は、上述した実施形態にのみ限定されるものではなく、本発明の範囲で種々の変更実施が可能であることは言うまでもない。
【００７７】
例えば、前述した第一実施形態では、有効選択肢となっている選択肢データを一選択肢データずつ切替えて表示したが、回答となる複数の選択肢データを同時に表示させるとともに、有効選択肢となっている選択肢データのみを、点滅表示させたり、反転表示させるなど、他の選択肢データと区別可能な表示態様で表示させることもできる。
この場合には、選択有効時間の経過毎に、点滅表示や反転表示されている選択肢データが遷移することは勿論である。
【００７８】
また、前述した第一実施形態では、スロットマシン４０から出力される遊技信号を、呼出ランプ２０を介して端末装置１０と管理装置３０に入力したが、呼出ランプ２０を介することなく、スロットマシン４０と端末装置１０を直接接続するとともに、端末装置１０から管理装置３０に遊技信号を送信することもできるし、端末装置１０をアンケートの進行管理等を行う本発明のアンケート管理手段として機能させる場合には、管理装置３０に遊技信号を送信する必要もない。
【００７９】
また、本発明を適用する遊技機は、スロットマシンに限定されるものではなく、パチンコ機も本発明の適用対象とすることができる。
適用対象をパチンコ機とした場合において、有効選択肢を遊技者が選択した選択肢と判定するための遊技信号としては、例えば、遊技球を発射する発射装置に設けられ、遊技球の発射を停止するための停止ボタンから出力されるストップ信号や、遊技球を貯留する上受け皿等に設けられ、演出表示を切替える等の用途を有する演出ボタンからの出力信号などを使用することもできる。
これらのストップ信号や出力信号も、遊技者の遊技操作に対応するタイミングで出力される信号であるため、遊技者が所望する有効選択肢を選択できる。
【産業上の利用可能性】
【００８０】
本発明は、遊技機中の遊技者をアンケートの調査対象とするアンケート集計システム、及びこのアンケート集計システムを構成する端末装置に広く利用することができる。
【図面の簡単な説明】
【００８１】
【図１】本発明の第一実施形態に係るアンケート集計システムの全体構成を模式的に示す説明図である。
【図２】本発明の第一実施形態に係るアンケート集計システムに適用されたスロットマシンと端末装置の正面図である。
【図３】本発明の第一実施形態に係るアンケート集計システムを構成する各装置の内部構成を示すブロック図である。
【図４】本発明の第一実施形態に係るアンケート集計システムに適用されたスロットマシンから出力される遊技信号を示すブロック図である。
【図５】本発明の第一実施形態に係るアンケート集計システムの管理装置で集計された差数の推移を示す図である。
【図６】本発明の第一実施形態に係るアンケート集計システムの管理装置に記憶されているアンケート内容を示し、図（ａ）は、アンケートＡを示す図であり、図（ｂ）は、アンケートＢを示す図であり、図（ｃ）は、アンケートＣを示す図である。
【図７】本発明の第一実施形態に係るアンケート集計システムの端末装置に記憶されているアンケート内容を示す図である。
【図８】本発明の第一実施形態に係るアンケート集計システムの端末装置の表示部に表示されたアンケート内容を示す図である。
【図９】本発明の第一実施形態に係るアンケート集計システムのアンケートの遷移と、メダル投入信号の入力タイミングとの関係を示すタイミングチャートであり、図（ａ）は、メダル投入信号の入力タイミングがほぼ均等となる例であり、図（ｂ）は、メダル投入信号の入力タイミングが不均等となる例である。
【図１０】本発明の第二実施形態に係るアンケート集計システムの全体構成を示すブロック図である。
【符号の説明】
【００８２】
１  アンケート集計システム
１０  端末装置
２０  呼出ランプ
３０  管理装置
４０  スロットマシン
５０  台コントローラ
６０  島コントローラ
【図１】
0005145521.tif 000002
【図２】
0005145521.tif 000003
【図３】
0005145521.tif 000004
【図４】
0005145521.tif 000005
【図５】
0005145521.tif 000006
【図６】
0005145521.tif 000007
【図７】
0005145521.tif 000008
【図８】
0005145521.tif 000009
【図９】
0005145521.tif 000010
【図１０】
0005145521.tif 000011